(57)【要約】【課題】ユーザが「Ｌｏｇｇｅｄ  ＭＤＴ」に対する承諾を途中で止める場合、かかるユーザが所有する移動局ＵＥによって行われている「Ｌｏｇｇｅｄ  ＭＤＴ」をすぐに停止する。【解決手段】本発明に係る移動通信方法は、「Ｃｏｎｎｅｃｔｅｄ状態」の移動局ＵＥが、「Ｉｄｌｅ状態」に遷移した後、かかる「Ｍｅａｓｕｒｅｍｅｎｔ  Ｃｏｎｆｉｇｕｒａｔｉｏｎ」に応じて、上述の所定無線品質を測定して記憶しておく工程と、「Ｉｄｌｅ状態」の移動局ＵＥが、ＭＤＴの実施に対する承諾が取り消された場合、記憶している所定無線品質の測定結果及び「Ｍｅａｓｕｒｅｍｅｎｔ  Ｃｏｎｆｉｇｕｒａｔｉｏｎ」を削除し、かかる所定無線品質の測定を中止する工程とを有する。【選択図】図３
2012222665.tif 000002
【特許請求の範囲】
【請求項１】
ネットワークが、測定走行試験の実施に対する承諾がなされている接続状態の移動局に対して、所定無線品質を測定するように指示する測定構成情報を送信する工程Ａと、
前記接続状態の移動局が、アイドル状態に遷移した後、前記測定構成情報に応じて、前記所定無線品質を測定して記憶しておく工程Ｂと、
前記アイドル状態の移動局が、前記測定走行試験の実施に対する承諾が取り消された場合、記憶している前記所定無線品質の測定結果及び前記測定構成情報を削除し、該所定無線品質の測定を中止する工程Ｃとを有することを特徴とする移動通信方法。
【請求項２】
前記工程Ｃにおいて、前記アイドル状態の移動局が、記憶している全ての前記所定無線品質の測定結果を削除することを特徴とする請求項１に記載の移動通信方法。
【請求項３】
前記工程Ｃにおいて、前記アイドル状態の移動局が、前記測定走行試験の実施に対する承諾が取り消された時点までの前記所定無線品質を記憶しておき、次に接続状態に遷移したときに、前記ネットワークに対して報告することを特徴とする請求項１に記載の移動通信方法。
【請求項４】
ネットワークが、測定走行試験の実施に対する承諾がなされている接続状態の移動局に対して、所定無線品質を測定するように指示する測定構成情報を送信する工程Ａと、
前記接続状態の移動局が、アイドル状態に遷移した後、前記測定構成情報に応じて、前記所定無線品質を測定して記憶しておく工程Ｂと、
前記アイドル状態の移動局が、前記測定走行試験の実施に対する承諾が取り消された後、接続状態に遷移する際に、前記ネットワークに対して、前記所定無線品質の測定結果を記憶していることを通知しない工程Ｃとを有することを特徴とする移動通信方法。
【請求項５】
ネットワークが、測定走行試験の実施に対する承諾がなされている接続状態の移動局に対して、所定無線品質を測定するように指示する測定構成情報を送信する工程Ａと、
前記接続状態の移動局が、アイドル状態に遷移した後、前記測定構成情報に応じて、前記所定無線品質を測定して記憶しておく工程Ｂと、
前記アイドル状態の移動局が、前記測定走行試験の実施に対する承諾が取り消された後、接続状態に遷移する際に、前記ネットワークに対して、前記所定無線品質の測定結果を記憶していることを通知した後、該所定無線品質の測定結果を通知しない工程Ｃとを有することを特徴とする移動通信方法。
【請求項６】
前記工程Ｃが行われた後、前記移動局が、デタッチ処理を行った場合であっても、前記測定走行試験の実施に対する承諾がなされていないことを記憶しておく工程Ｄを更に有することを特徴とする請求項１乃至５のいずれか一項に記載の移動通信方法。
【請求項７】
前記工程Ｄが行われた後、前記移動局が、アタッチ処理を行う際に、前記ネットワークに対して、前記測定走行試験に関連する能力を具備している旨を通知しない工程Ｅを更に有することを特徴とする請求項６に記載の移動通信方法。
【請求項８】
移動局であって、
測定走行試験の実施に対する承諾がなされているか否かについて管理するように構成されている承諾管理部と、
前記移動局が、接続状態である場合で、前記測定走行試験の実施に対する承諾がなされている場合で、かつ、ネットワークから所定無線品質を測定するように指示する測定構成情報を受信した場合、アイドル状態に遷移した後、該測定構成情報に応じて、該所定無線品質を測定して記憶しておくように構成されている測定走行試験機能部とを具備しており、
前記移動局が、アイドル状態である場合で、かつ、前記測定走行試験の実施に対する承諾が取り消された場合、前記測定走行試験機能部は、記憶している前記所定無線品質の測定結果及び前記測定構成情報を削除し、該所定無線品質の測定を中止するように構成されていることを特徴とする移動局。
【請求項９】
移動局であって、
測定走行試験の実施に対する承諾がなされているか否かについて管理するように構成されている承諾管理部と、
前記移動局が、接続状態である場合で、前記測定走行試験の実施に対する承諾がなされている場合で、かつ、ネットワークから所定無線品質を測定するように指示する測定構成情報を受信した場合、アイドル状態に遷移した後、該測定構成情報に応じて、該所定無線品質を測定して記憶しておくように構成されている測定走行試験機能部とを具備しており、
前記移動局が、前記測定走行試験の実施に対する承諾が取り消された後、アイドル状態から接続状態に遷移する場合に、前記測定走行試験機能部は、前記ネットワークに対して、前記所定無線品質の測定結果を記憶していることを通知しないように構成されていることを特徴とする移動局。
【請求項１０】
移動局であって、
測定走行試験の実施に対する承諾がなされているか否かについて管理するように構成されている承諾管理部と、
前記移動局が、接続状態である場合で、前記測定走行試験の実施に対する承諾がなされている場合で、かつ、ネットワークから所定無線品質を測定するように指示する測定構成情報を受信した場合、アイドル状態に遷移した後、該測定構成情報に応じて、該所定無線品質を測定して記憶しておくように構成されている測定走行試験機能部とを具備しており、
前記移動局が、前記測定走行試験の実施に対する承諾が取り消された後、アイドル状態から接続状態に遷移する場合に、前記測定走行試験機能部は、前記ネットワークに対して、前記所定無線品質の測定結果を記憶していることを通知した後、該所定無線品質の測定結果を通知しないように構成されていることを特徴とする移動局。
【請求項１１】
前記移動局が、前記所定無線品質の測定を中止した後に、デタッチ処理を行った場合であっても、前記承諾管理部は、前記測定走行試験の実施に対する承諾がなされていないことを記憶しておくように構成されていることを特徴とする請求項８乃至１０のいずれか一項に記載の移動局。
【請求項１２】
前記移動局が、前記デタッチ処理を行った後に、アタッチ処理を行う際に、前記測定走行試験機能部は、前記ネットワークに対して、前記測定走行試験に関連する能力を具備している旨を通知しないように構成されていることを特徴とする請求項１１に記載の移動局。
【発明の詳細な説明】
【技術分野】
【０００１】
本発明は、移動通信方法及び移動局に関する。
【背景技術】
【０００２】
ＬＴＥ（Ｌｏｎｇ  Ｔｅｒｍ  Ｅｖｏｌｕｔｉｏｎ）方式では、移動局ＵＥから、実環境における所定無線品質の測定結果を収集することによって、走行試験（Ｄｒｉｖｅ  Ｔｅｓｔ）による手間やコストを削減する「ＭＤＴ（Ｍｉｎｉｍｉｓａｔｉｏｎ  ｏｆ  Ｄｒｉｖｅ  Ｔｅｓｔｓ、測定走行試験）」という手法が規定されている。
【０００３】
かかるＭＤＴのうち、「Ｌｏｇｇｅｄ  ＭＤＴ」では、移動局ＵＥは、「Ｉｄｌｅ状態」において、「Ｃｏｎｎｅｃｔｅｄ状態」の際に受信した「Ｌｏｇｇｅｄ  ＭＤＴ  Ｃｏｎｆｉｇｕｒａｔｉｏｎ」に応じて、所定無線品質を測定して記憶しておき、「Ｃｏｎｎｅｃｔｅｄ状態」に遷移する際に、ネットワークに対して、かかる所定無線品質の測定結果を報告するように構成されている。
【先行技術文献】
【非特許文献】
【０００４】
【非特許文献１】３ＧＰＰ  ３７.３２０
【非特許文献１】３ＧＰＰ  ３６.３３１
【発明の概要】
【発明が解決しようとする課題】
【０００５】
ここで、かかる「Ｌｏｇｇｅｄ  ＭＤＴ」は、移動局ＵＥにとってサービスではないため、移動局ＵＥに対して、「Ｌｏｇｇｅｄ  ＭＤＴ」を実施させるためには、かかる移動局を所有するユーザの承諾が必要である。
【０００６】
現状では、ネットワークが、かかるユーザによる承諾状況を管理しており、かかる承諾状況に応じて、移動局ＵＥに対して「Ｌｏｇｇｅｄ  ＭＤＴ」を実施させるか否かについて制御するように構成されている。
【０００７】
しかしながら、従来の移動通信システムでは、ユーザが「Ｌｏｇｇｅｄ  ＭＤＴ」に対する承諾を途中で止める場合、かかるユーザが所有する移動局ＵＥによって行われている「Ｌｏｇｇｅｄ  ＭＤＴ」をすぐに停止することができないという問題点があった。
【０００８】
そこで、本発明は、上述の課題に鑑みてなされたものであり、ユーザが「Ｌｏｇｇｅｄ  ＭＤＴ」に対する承諾を途中で止める場合、かかるユーザが所有する移動局ＵＥによって行われている「Ｌｏｇｇｅｄ  ＭＤＴ」をすぐに停止することができる移動通信方法及び移動局を提供することを目的とする。
【課題を解決するための手段】
【０００９】
本発明の第１の特徴は、移動通信方法であって、ネットワークが、測定走行試験の実施に対する承諾がなされている接続状態の移動局に対して、所定無線品質を測定するように指示する測定構成情報を送信する工程Ａと、前記接続状態の移動局が、アイドル状態に遷移した後、前記測定構成情報に応じて、前記所定無線品質を測定して記憶しておく工程Ｂと、前記アイドル状態の移動局が、前記測定走行試験の実施に対する承諾が取り消された場合、記憶している前記所定無線品質の測定結果及び前記測定構成情報を削除し、該所定無線品質の測定を中止する工程Ｃとを有することを要旨とする。
【００１０】
本発明の第２の特徴は、移動通信方法であって、ネットワークが、測定走行試験の実施に対する承諾が成されている接続状態の移動局に対して、所定無線品質を測定するように指示する測定構成情報を送信する工程Ａと、前記接続状態の移動局が、アイドル状態に遷移した後、前記測定構成情報に応じて、前記所定無線品質を測定して記憶しておく工程Ｂと、前記アイドル状態の移動局が、前記測定走行試験の実施に対する承諾が取り消された後、接続状態に遷移する際に、前記ネットワークに対して、前記所定無線品質の測定結果を記憶していることを通知しない工程Ｃとを有することを要旨とする。
【００１１】
本発明の第３の特徴は、移動通信方法であって、ネットワークが、測定走行試験の実施に対する承諾がなされている接続状態の移動局に対して、所定無線品質を測定するように指示する測定構成情報を送信する工程Ａと、前記接続状態の移動局が、アイドル状態に遷移した後、前記測定構成情報に応じて、前記所定無線品質を測定して記憶しておく工程Ｂと、前記アイドル状態の移動局が、前記測定走行試験の実施に対する承諾が取り消された後、接続状態に遷移する際に、前記ネットワークに対して、前記所定無線品質の測定結果を記憶していることを通知した後、該所定無線品質の測定結果を通知しない工程Ｃとを有することを要旨とする。
【００１２】
本発明の第４の特徴は、移動局であって、測定走行試験の実施に対する承諾がなされているか否かについて管理するように構成されている承諾管理部と、前記移動局が、接続状態である場合で、前記測定走行試験の実施に対する承諾がなされている場合で、かつ、ネットワークから所定無線品質を測定するように指示する測定構成情報を受信した場合、アイドル状態に遷移した後、該測定構成情報に応じて、該所定無線品質を測定して記憶しておくように構成されている測定走行試験機能部とを具備しており、前記移動局が、アイドル状態である場合で、かつ、前記測定走行試験の実施に対する承諾が取り消された場合、前記測定走行試験機能部は、記憶している前記所定無線品質の測定結果及び前記測定構成情報を削除し、該所定無線品質の測定を中止するように構成されていることを要旨とする。
【００１３】
本発明の第５の特徴は、移動局であって、測定走行試験の実施に対する承諾がなされているか否かについて管理するように構成されている承諾管理部と、前記移動局が、接続状態である場合で、前記測定走行試験の実施に対する承諾がなされている場合で、かつ、ネットワークから所定無線品質を測定するように指示する測定構成情報を受信した場合、アイドル状態に遷移した後、該測定構成情報に応じて、該所定無線品質を測定して記憶しておくように構成されている測定走行試験機能部とを具備しており、前記移動局が、前記測定走行試験の実施に対する承諾が取り消された後、アイドル状態から接続状態に遷移する場合に、前記測定走行試験機能部は、前記ネットワークに対して、前記所定無線品質の測定結果を記憶していることを通知しないように構成されていることを要旨とする。
【００１４】
本発明の第６の特徴は、移動局であって、測定走行試験の実施に対する承諾がなされているか否かについて管理するように構成されている承諾管理部と、前記移動局が、接続状態である場合で、前記測定走行試験の実施に対する承諾がなされている場合で、かつ、ネットワークから所定無線品質を測定するように指示する測定構成情報を受信した場合、アイドル状態に遷移した後、該測定構成情報に応じて、該所定無線品質を測定して記憶しておくように構成されている測定走行試験機能部とを具備しており、前記移動局が、前記測定走行試験の実施に対する承諾が取り消された後、アイドル状態から接続状態に遷移する場合に、前記測定走行試験機能部は、前記ネットワークに対して、前記所定無線品質の測定結果を記憶していることを通知した後、該所定無線品質の測定結果を通知しないように構成されていることを要旨とする。
【発明の効果】
【００１５】
以上説明したように、本発明によれば、ユーザが「Ｌｏｇｇｅｄ  ＭＤＴ」に対する承諾を途中で止める場合、かかるユーザが所有する移動局ＵＥによって行われている「Ｌｏｇｇｅｄ  ＭＤＴ」をすぐに停止することができる移動通信方法及び移動局を提供することができる。
【図面の簡単な説明】
【００１６】
【図１】本発明の第１の実施形態に係る移動通信システムの全体構成図である。
【図２】本発明の第１の実施形態に係る移動局の機能ブロック図である。
【図３】本発明の第１の実施形態に係る移動通信システムの動作を示すシーケンス図である。
【図４】本発明の第１の実施形態に係る移動通信システムの動作を示すシーケンス図である。
【図５】本発明の第２の実施形態に係る移動通信システムの動作を示すシーケンス図である。
【図６】本発明の第３の実施形態に係る移動通信システムの動作を示すシーケンス図である。
【発明を実施するための形態】
【００１７】
（本発明の第１の実施形態に係る移動通信システム）
図１乃至図４を参照して、本発明の第１の実施形態に係る移動通信システムについて説明する。
【００１８】
図１に示すように、本実施形態に係る移動通信システムは、加入者情報管理サーバＨＳＳ（Ｈｏｍｅ  Ｓｕｂｓｃｒｉｂｅｒ  Ｓｅｒｖｅｒ）と、移動管理ノードＭＭＥ（Ｍｏｂｉｌｉｔｙ  Ｍａｎａｇｅｍｅｎｔ  Ｅｎｔｉｔｙ）と、ＬＴＥ方式の無線アクセスネットワーク装置としての無線基地局ｅＮＢとを具備している。
【００１９】
図２に示すように、本実施形態に係る移動局ＵＥは、Ｃｏｎｓｅｎｔ管理部１１と、ＭＤＴ機能部１２とを具備している。
【００２０】
Ｃｏｎｓｅｎｔ管理部１１は、ＭＤＴの実施に対して承諾がなされているか否かについて管理するように構成されている。
【００２１】
例えば、Ｃｏｎｓｅｎｔ管理部１１は、アプリケーションレイヤにおける機能であって、ユーザは、Ｃｏｎｓｅｎｔ管理部１１を介して、ＭＤＴの実施に対して承諾を行うか否かについて設定することができる。
【００２２】
ＭＤＴ機能部１２は、ＡＳ（Ａｃｃｅｓｓ  Ｓｔｒａｔｕｍ）レイヤにおける機能であって、ＭＤＴに係る処理を行うように構成されている。
【００２３】
具体的には、移動局ＵＥが、「Ｃｏｎｎｅｃｔｅｄ状態」である場合で、ＭＤＴの実施に対する承諾がなされている場合で、かつ、ネットワークから所定無線品質を測定するように指示する「Ｍｅａｓｕｒｅｍｅｎｔ  Ｃｏｎｆｉｇｕｒａｔｉｏｎ」を受信した場合、「Ｉｄｌｅ状態」に遷移した後、かかる「Ｍｅａｓｕｒｅｍｅｎｔ  Ｃｏｎｆｉｇｕｒａｔｉｏｎ」に応じて、「Ｌｏｇｇｅｄ  ＭＤＴ」を実施するように構成されている、すなわち、上述の所定無線品質を測定して記憶しておくように構成されている。
【００２４】
また、移動局ＵＥが、「Ｉｄｌｅ状態」である場合で、かつ、ＭＤＴの実施に対する承諾が取り消された場合、ＭＤＴ機能部１２は、記憶している所定無線品質の測定結果及び「Ｍｅａｓｕｒｅｍｅｎｔ  Ｃｏｎｆｉｇｕｒａｔｉｏｎ」を削除し、「Ｌｏｇｇｅｄ  ＭＤＴ」の実施を中止するように構成されている、すなわち、かかる所定無線品質の測定を中止するように構成されている。
【００２５】
かかる場合、ＭＤＴ機能部１２は、記憶している全ての所定無線品質の測定結果を削除するように構成されていてもよい。
【００２６】
また、かかる場合、ＭＤＴ機能部１２は、ＭＤＴの実施に対する承諾が取り消された時点までに記憶している所定無線品質の測定結果を保持し、記憶している「Ｍｅａｓｕｒｅｍｅｎｔ  Ｃｏｎｆｉｇｕｒａｔｉｏｎ」を削除し、「Ｌｏｇｇｅｄ  ＭＤＴ」の実施を中止するように構成されてもよい。
【００２７】
ここで、移動局ＵＥが、次に「Ｃｏｎｎｅｃｔｅｄ状態」に遷移したときに、ＭＤＴ機能部１２は、ネットワークに対して、かかる所定無線品質の測定結果について報告するように構成されていもよい。
【００２８】
なお、移動局ＵＥが、「Ｌｏｇｇｅｄ  ＭＤＴ」の実施を中止した後、すなわち、上述の所定無線品質の測定を中止した後に、Ｄｅｔａｃｈ（デタッチ）処理を行った場合であっても、Ｃｏｎｓｅｎｔ管理部１１は、ＭＤＴの実施に対する承諾がなされていないことを記憶しておくように構成されていてもよい。
【００２９】
また、移動局ＵＥが、Ｄｅｔａｃｈ処理を行った後に、Ａｔｔａｃｈ処理を行う際に、ＭＤＴ機能部１２は、ネットワークに対して、ＭＤＴに関連する能力を具備している旨を通知しないように構成されていてもよい。
【００３０】
以下、図３及び図４を参照して、本発明の第１の実施形態に係る移動通信システムの動作の一例について説明する。
【００３１】
具体的には、図３及び図４を参照して、本発明の第１の実施形態に係る移動通信システムにおいて、ＭＤＴの実施に対する承諾がなされている移動局ＵＥにおいて、ＭＤＴの実施に対する承諾が取り消される場合の動作について説明する。
【００３２】
図３に示すように、「Ｉｄｌｅ状態」の移動局ＵＥは、ＭＤＴの実施に対する承諾がなされており、ネットワークから「Ｌｏｇｇｅｄ  ＭＤＴ」に係る「Ｍｅａｓｕｒｅｍｅｎｔ  Ｃｏｎｆｉｇｕｒａｔｉｏｎ」が受信されているため、ステップＳ１００１において、「Ｌｏｇｇｅｄ  ＭＤＴ」を実施している。
【００３３】
移動局ＵＥは、ステップＳ１００２において、ユーザによってＭＤＴの実施に対する承諾が取り消されたことを検知すると、ステップＳ１００３において、記憶している所定無線品質の測定結果及び「Ｌｏｇｇｅｄ  ＭＤＴ」に係る「Ｍｅａｓｕｒｅｍｅｎｔ  Ｃｏｎｆｉｇｕｒａｔｉｏｎ」を削除し、「Ｌｏｇｇｅｄ  ＭＤＴ」の実施を中止する。
【００３４】
その結果、移動局ＵＥが、「Ｉｄｌｅ状態」から「Ｃｏｎｎｅｃｔｅｄ状態」に遷移した場合であっても、ネットワークに対して、「Ｌｏｇｇｅｄ  ＭＤＴ」による所定無線品質の測定結果を報告することができない。
【００３５】
その後、図４に示すように、ステップＳ４００１において、移動局ＵＥは、Ｄｅｔａｃｈ処理を行った場合であっても、上述のＭＤＴの実施に対する承諾がなされていないことを記憶しておく。
【００３６】
ステップＳ４００２において、移動局ＵＥは、無線基地局ｅＮＢに対して、「ＲＲＣ  Ｃｏｎｎｅｃｔｉｏｎ  Ｒｅｑｕｅｓｔ」を送信し、ステップＳ４００３において、無線基地局ｅＮＢは、移動局ＵＥに対して、「ＲＲＣ  Ｃｏｎｎｅｃｔｉｏｎ  Ｓｅｔｕｐ」を送信する。
【００３７】
ステップＳ４００４において、移動局ＵＥは、無線基地局ｅＮＢに対して、「ＡＳ  ＵＥ  Ｃａｐａｂｉｌｉｔｙ」を含む「ＮＡＳ  Ａｔｔａｃｈ  Ｒｅｑｕｅｓｔ」を含む「ＲＲＣ  Ｃｏｎｎｅｃｔｉｏｎ  Ｓｅｔｕｐ  Ｃｏｍｐｌｅｔｅ」を送信する。
【００３８】
ここで、移動局ＵＥは、ＭＤＴの実施に対する承諾がなされていないため、「ＡＳ  ＵＥ  Ｃａｐａｂｉｌｉｔｙ」として、「Ｌｏｇｇｅｄ  ＭＤＴ」を実施することができる能力やＭＤＴ用の位置情報を取得することができる能力といったＭＤＴに関連する能力を具備している場合であっても、ネットワークに対して、かかるＭＤＴに関連する能力を具備している旨を通知しない。
【００３９】
すなわち、かかる場合、移動局ＵＥは、無線基地局ｅＮＢに対して、上述のＭＤＴに関連する能力を含まない「ＡＳ  ＵＥ  Ｃａｐａｂｉｌｉｔｙ」を含む「ＲＲＣ  Ｃｏｎｎｅｃｔｉｏｎ  Ｓｅｔｕｐ  Ｃｏｍｐｌｅｔｅ」を送信する。
【００４０】
ステップＳ４００５において、無線基地局ｅＮＢは、移動管理ノードＭＭＥに対して、「ＡＳ  ＵＥ  Ｃａｐａｂｉｌｉｔｙ」を含む「ＮＡＳ  Ａｔｔａｃｈ  Ｒｅｑｕｅｓｔ」を含む「Ｉｎｉｔｉａｌ  Ｃｏｎｔｅｘｔ  Ｓｅｔｕｐ  Ｒｅｑｕｅｓｔ」を送信する。
【００４１】
ここで、かかる「ＡＳ  ＵＥ  Ｃａｐａｂｉｌｉｔｙ」には、上述のＭＤＴに関連する能力を含まれていない。
【００４２】
ステップＳ４００６において、移動管理ノードＭＭＥは、無線基地局ｅＮＢに対して、「ＡＳ  ＵＥ  Ｃａｐａｂｉｌｉｔｙ」を含む「ＮＡＳ  Ａｃｃｅｐｔ」を含む「Ｉｎｉｔｉａｌ  Ｃｏｎｔｅｘｔ  Ｓｅｔｕｐ  Ｒｅｓｐｏｎｓｅ」を送信する。
【００４３】
ここで、かかる「ＡＳ  ＵＥ  Ｃａｐａｂｉｌｉｔｙ」には、上述のＭＤＴに関連する能力を含まれていない。
【００４４】
ステップＳ４００７において、無線基地局ｅＮＢは、受信した「Ｉｎｉｔｉａｌ  Ｃｏｎｔｅｘｔ  Ｓｅｔｕｐ  Ｒｅｓｐｏｎｓｅ」内の「ＮＡＳ  Ａｃｃｅｐｔ」に含まれる「ＡＳ  ＵＥ  Ｃａｐａｂｉｌｉｔｙ」に、上述のＭＤＴに関連する能力が含まれていないため、移動局ＵＥに対して、「Ｌｏｇｇｅｄ  ＭＤＴ」に関連する「ＭＤＴ  Ｃｏｎｆｉｇｕｒａｔｉｏｎ」の追加を指示する「ＲＲＣ  Ｃｏｎｎｅｃｔｉｏｎ  Ｒｅｃｏｎｆｉｇｕｒａｔｉｏｎ」を送信しない。
【００４５】
本実施形態に係る発明によれば、ユーザによってＭＤＴに対する承諾が取り消された場合には、かかるユーザが所有する移動局ＵＥが、「Ｌｏｇｇｅｄ  ＭＤＴ」に関連する「ＭＤＴ  Ｃｏｎｆｉｇｕｒａｔｉｏｎ」及び「Ｌｏｇｇｅｄ  ＭＤＴ」による所定無線品質の測定結果を削除するように構成されているため、移動局ＵＥによって行われている「Ｌｏｇｇｅｄ  ＭＤＴ」をすぐに停止することができる。
【００４６】
（本発明の第２の実施形態に係る移動通信システム）
以下、図５を参照して、本発明の第２の実施形態に係る移動通信システムについて、上述の第１の実施形態に係る移動通信システムとの相違点に着目して説明する。
【００４７】
本実施形態に係る移動通信システムでは、移動局ＵＥが、ＭＤＴの実施に対する承諾が取り消された後、「Ｉｄｌｅ状態」から「Ｃｏｎｎｅｃｔｅｄ状態」に遷移する場合に、ＭＤＴ機能部１２は、ネットワークに対して、上述の所定無線品質の測定結果を記憶していることを通知しないように構成されている。
【００４８】
以下、図５を参照して、本発明の第２の実施形態に係る移動通信システムの動作の一例について説明する。
【００４９】
具体的には、図５を参照して、本発明の第２の実施形態に係る移動通信システムにおいて、ＭＤＴの実施に対する承諾がなされている移動局ＵＥにおいて、ＭＤＴの実施に対する承諾が取り消される場合の動作について説明する。
【００５０】
図５に示すように、「Ｉｄｌｅ状態」の移動局ＵＥは、ＭＤＴの実施に対する承諾がなされており、ネットワークから「Ｌｏｇｇｅｄ  ＭＤＴ」に係る「Ｍｅａｓｕｒｅｍｅｎｔ  Ｃｏｎｆｉｇｕｒａｔｉｏｎ」が受信されているため、ステップＳ２００１において、「Ｌｏｇｇｅｄ  ＭＤＴ」を実施している。
【００５１】
移動局ＵＥは、ステップＳ２００２において、ユーザによってＭＤＴの実施に対する承諾が取り消されたことを検知すると、その旨を記憶しておく。
【００５２】
ここで、移動局ＵＥは、「Ｌｏｇｇｅｄ  ＭＤＴ」によって記憶された所定無線品質の測定結果や「Ｌｏｇｇｅｄ  ＭＤＴ」に関連する「ＭＤＴ  Ｃｏｎｆｉｇｕｒａｔｉｏｎ」について削除しなくてもよい。
【００５３】
移動局ＵＥは、ステップＳ２００３において、「Ｉｄｌｅ状態」から「Ｃｏｎｎｅｃｔｅｄ状態」に遷移する際に、ＭＤＴの実施に対する承諾が取り消されたことを検出すると、ステップＳ２００４において、「Ｌｏｇｇｅｄ  ＭＤＴ」による所定無線品質の測定結果を記憶している場合であっても、「Ｌｏｇｇｅｄ  ＭＤＴ」による所定無線品質の測定結果を記憶していることを示すＬｏｇ有報告信号を送信しない。
【００５４】
その結果、無線基地局ｅＮＢは、移動局ＵＥに対して、Ｌｏｇ報告要求信号を送信することができないため、「Ｌｏｇｇｅｄ  ＭＤＴ」による所定無線品質の測定結果は、ネットワークに対して報告されない。
【００５５】
その後の動作は、図４に示すステップＳ４００１乃至Ｓ４００７の動作と同一である。
【００５６】
本実施形態に係る発明によれば、ユーザによってＭＤＴに対する承諾が取り消された場合には、かかるユーザが所有する移動局ＵＥによって、「Ｌｏｇｇｅｄ  ＭＤＴ」による所定無線品質の測定結果がネットワークに対して報告されなくなるため、移動局ＵＥによって行われている「Ｌｏｇｇｅｄ  ＭＤＴ」について実質的にすぐに停止されることになる。
【００５７】
（本発明の第３の実施形態に係る移動通信システム）
以下、図６を参照して、本発明の第３の実施形態に係る移動通信システムについて、上述の第１の実施形態に係る移動通信システムとの相違点に着目して説明する。
【００５８】
本実施形態に係る移動通信システムでは、移動局ＵＥが、ＭＤＴの実施に対する承諾が取り消された後、「Ｉｄｌｅ状態」から「Ｃｏｎｎｅｃｔｅｄ状態」に遷移する場合に、ＭＤＴ機能部１２は、ＭＤＴ機能部１２は、ネットワークに対して、上述の所定無線品質の測定結果を記憶していることを通知した後、かかる所定無線品質の測定結果を通知しないように構成されている。
【００５９】
以下、図６を参照して、本発明の第３の実施形態に係る移動通信システムの動作の一例について説明する。
【００６０】
具体的には、図６を参照して、本発明の第３の実施形態に係る移動通信システムにおいて、ＭＤＴの実施に対する承諾がなされている移動局ＵＥにおいて、ＭＤＴの実施に対する承諾が取り消される場合の動作について説明する。
【００６１】
図６に示すように、「Ｉｄｌｅ状態」の移動局ＵＥは、ＭＤＴの実施に対する承諾がなされており、ネットワークから「Ｌｏｇｇｅｄ  ＭＤＴ」に係る「Ｍｅａｓｕｒｅｍｅｎｔ  Ｃｏｎｆｉｇｕｒａｔｉｏｎ」が受信されているため、ステップＳ３００１において、「Ｌｏｇｇｅｄ  ＭＤＴ」を実施している。
【００６２】
移動局ＵＥは、ステップＳ３００２において、ユーザによってＭＤＴの実施に対する承諾が取り消されたことを検知すると、その旨を記憶しておく。
【００６３】
ここで、移動局ＵＥは、「Ｌｏｇｇｅｄ  ＭＤＴ」によって記憶された所定無線品質の測定結果や「Ｌｏｇｇｅｄ  ＭＤＴ」に関連する「ＭＤＴ  Ｃｏｎｆｉｇｕｒａｔｉｏｎ」について削除しなくてもよい。
【００６４】
移動局ＵＥは、ステップＳ３００３において、「Ｉｄｌｅ状態」から「Ｃｏｎｎｅｃｔｅｄ状態」に遷移する際に、ステップＳ３００４において、無線基地局ｅＮＢに対して、「Ｌｏｇｇｅｄ  ＭＤＴ」による所定無線品質の測定結果を記憶していることを示すＬｏｇ有報告信号を送信する。
【００６５】
ステップＳ３００５において、無線基地局ｅＮＢは、Ｌｏｇ有報告信号に応じて、移動局ＵＥに対して、Ｌｏｇ報告要求信号を送信する。
【００６６】
ステップＳ３００６において、移動局ＵＥは、ＭＤＴの実施に対する承諾が取り消されたことを検出しているため、「Ｌｏｇｇｅｄ  ＭＤＴ」による所定無線品質の測定結果を記憶している場合であっても、Ｌｏｇ報告要求信号に応じて、「Ｌｏｇｇｅｄ  ＭＤＴ」による所定無線品質の測定結果を報告しない。
【００６７】
例えば、かかる場合、移動局ＵＥは、無線基地局ｅＮＢに対して、「Ｌｏｇｇｅｄ  ＭＤＴ」による所定無線品質の測定結果を記憶していないことを示すＬｏｇ  Ｅｍｐｔｙ報告信号を送信するか、或いは、「Ｌｏｇｇｅｄ  ＭＤＴ」による所定無線品質の測定結果を含めないＬｏｇ報告信号を送信する。
【００６８】
その後の動作は、図４に示すステップＳ４００１乃至Ｓ４００７の動作と同一である。
【００６９】
本実施形態に係る発明によれば、ユーザによってＭＤＴに対する承諾が取り消された場合には、かかるユーザが所有する移動局ＵＥによって、「Ｌｏｇｇｅｄ  ＭＤＴ」による所定無線品質の測定結果がネットワークに対して報告されなくなるため、移動局ＵＥによって行われている「Ｌｏｇｇｅｄ  ＭＤＴ」について実質的にすぐに停止されることになる。
【００７０】
以上に述べた本実施形態の特徴は、以下のように表現されていてもよい。
【００７１】
本実施形態の第１の特徴は、移動通信方法であって、ネットワークが、ＭＤＴ（測定走行試験）の実施に対する承諾がなされている「Ｃｏｎｎｅｃｔｅｄ状態（接続状態）」の移動局ＵＥに対して、所定無線品質を測定するように指示する「Ｍｅａｓｕｒｅｍｅｎｔ  Ｃｏｎｆｉｇｕｒａｔｉｏｎ（測定構成情報）」を送信する工程Ａと、「Ｃｏｎｎｅｃｔｅｄ状態」の移動局ＵＥが、「Ｉｄｌｅ状態（アイドル状態）」に遷移した後、かかる「Ｍｅａｓｕｒｅｍｅｎｔ  Ｃｏｎｆｉｇｕｒａｔｉｏｎ」に応じて、上述の所定無線品質を測定して記憶しておく工程Ｂと、「Ｉｄｌｅ状態」の移動局ＵＥが、ＭＤＴの実施に対する承諾が取り消された場合、記憶している所定無線品質の測定結果及び「Ｍｅａｓｕｒｅｍｅｎｔ  Ｃｏｎｆｉｇｕｒａｔｉｏｎ」を削除し、かかる所定無線品質の測定を中止する工程Ｃとを有することを要旨とする。
【００７２】
本実施形態の第１の特徴において、工程Ｃにおいて、「Ｉｄｌｅ状態」の移動局ＵＥが、記憶している全ての所定無線品質の測定結果を削除してもよい。
【００７３】
本実施形態の第１の特徴において、工程Ｃにおいて、「Ｉｄｌｅ状態」の移動局ＵＥが、ＭＤＴの実施に対する承諾が取り消された時点までの所定無線品質を記憶しておき、次に「Ｃｏｎｎｅｃｔｅｄ状態」に遷移したときに、ネットワークに対して報告してもよい。
【００７４】
本実施形態の第２の特徴は、移動通信方法であって、ネットワークが、ＭＤＴの実施に対する承諾がなされている「Ｃｏｎｎｅｃｔｅｄ状態」の移動局ＵＥに対して、所定無線品質を測定するように指示する「Ｍｅａｓｕｒｅｍｅｎｔ  Ｃｏｎｆｉｇｕｒａｔｉｏｎ」を送信する工程Ａと、「Ｃｏｎｎｅｃｔｅｄ状態」の移動局ＵＥが、「Ｉｄｌｅ状態」に遷移した後、かかる「Ｍｅａｓｕｒｅｍｅｎｔ  Ｃｏｎｆｉｇｕｒａｔｉｏｎ」に応じて、所定無線品質を測定して記憶しておく工程Ｂと、「Ｉｄｌｅ状態」の移動局ＵＥが、ＭＤＴの実施に対する承諾が取り消された後、「Ｃｏｎｎｅｃｔｅｄ状態」に遷移する際に、ネットワークに対して、上述の所定無線品質の測定結果を記憶していることを通知しない工程Ｃとを有することを要旨とする。
【００７５】
本実施形態の第３の特徴は、移動通信方法であって、ネットワークが、ＭＤＴの実施に対する承諾がなされている「Ｃｏｎｎｅｃｔｅｄ状態」の移動局ＵＥに対して、所定無線品質を測定するように指示する「Ｍｅａｓｕｒｅｍｅｎｔ  Ｃｏｎｆｉｇｕｒａｔｉｏｎ」を送信する工程Ａと、「Ｃｏｎｎｅｃｔｅｄ状態」の移動局ＵＥが、「Ｉｄｌｅ状態」に遷移した後、かかる「Ｍｅａｓｕｒｅｍｅｎｔ  Ｃｏｎｆｉｇｕｒａｔｉｏｎ」に応じて、所定無線品質を測定して記憶しておく工程Ｂと、「Ｉｄｌｅ状態」の移動局ＵＥが、ＭＤＴの実施に対する承諾が取り消された後、「Ｃｏｎｎｅｃｔｅｄ状態」に遷移する際に、ネットワークに対して、上述の所定無線品質の測定結果を記憶していることを通知した後、かかる所定無線品質の測定結果を通知しない工程Ｃとを有することを要旨とする。
【００７６】
本実施形態の第１乃至第３の特徴において、上述の工程Ｃが行われた後、移動局ＵＥが、デタッチ処理を行った場合であっても、ＭＤＴの実施に対する承諾がなされていないことを記憶しておく工程Ｄを更に有してもよい。
【００７７】
本実施形態の第１乃至第３の特徴において、上述の工程Ｄが行われた後、移動局ＵＥが、アタッチ処理を行う際に、ネットワークに対して、ＭＤＴに関連する能力（ＡＳ  ＵＥ  Ｃａｐａｂｉｌｉｔｙ）を具備している旨を通知しない工程Ｅを更に有してもよい。
【００７８】
本実施形態の第４の特徴は、移動局ＵＥであって、ＭＤＴの実施に対する承諾がなされているか否かについて管理するように構成されているＣｏｎｓｅｎｔ管理部１１（承諾管理部）と、移動局ＵＥが、「Ｃｏｎｎｅｃｔｅｄ状態」である場合で、ＭＤＴの実施に対する承諾がなされている場合で、かつ、ネットワークから所定無線品質を測定するように指示する「Ｍｅａｓｕｒｅｍｅｎｔ  Ｃｏｎｆｉｇｕｒａｔｉｏｎ」を受信した場合、「Ｉｄｌｅ状態」に遷移した後、かかる「Ｍｅａｓｕｒｅｍｅｎｔ  Ｃｏｎｆｉｇｕｒａｔｉｏｎ」に応じて、上述の所定無線品質を測定して記憶しておくように構成されているＭＤＴ機能部１２（測定走行試験機能部）とを具備しており、移動局ＵＥが、「Ｉｄｌｅ状態」である場合で、かつ、ＭＤＴの実施に対する承諾が取り消された場合、ＭＤＴ機能部１２は、記憶している所定無線品質の測定結果及び「Ｍｅａｓｕｒｅｍｅｎｔ  Ｃｏｎｆｉｇｕｒａｔｉｏｎ」を削除し、かかる所定無線品質の測定を中止するように構成されていることを要旨とする。
【００７９】
本実施形態の第５の特徴は、移動局ＵＥであって、ＭＤＴの実施に対する承諾がなされているか否かについて管理するように構成されているＣｏｎｓｅｎｔ管理部１１と、移動局ＵＥが、「Ｃｏｎｎｅｃｔｅｄ状態」である場合で、ＭＤＴの実施に対する承諾がなされている場合で、かつ、ネットワークから所定無線品質を測定するように指示する「Ｍｅａｓｕｒｅｍｅｎｔ  Ｃｏｎｆｉｇｕｒａｔｉｏｎ」を受信した場合、「Ｉｄｌｅ状態」に遷移した後、かかる「Ｍｅａｓｕｒｅｍｅｎｔ  Ｃｏｎｆｉｇｕｒａｔｉｏｎ」に応じて、上述の所定無線品質を測定して記憶しておくように構成されているＭＤＴ機能部１２とを具備しており、移動局ＵＥが、ＭＤＴの実施に対する承諾が取り消された後、「Ｉｄｌｅ状態」から「Ｃｏｎｎｅｃｔｅｄ状態」に遷移する場合に、ＭＤＴ機能部１２は、ネットワークに対して、上述の所定無線品質の測定結果を記憶していることを通知しないように構成されていることを要旨とする。
【００８０】
本実施形態の第５の特徴は、移動局ＵＥであって、ＭＤＴの実施に対する承諾がなされているか否かについて管理するように構成されているＣｏｎｓｅｎｔ管理部１１と、移動局ＵＥが、「Ｃｏｎｎｅｃｔｅｄ状態」である場合で、ＭＤＴの実施に対する承諾がなされている場合で、かつ、ネットワークから所定無線品質を測定するように指示する「Ｍｅａｓｕｒｅｍｅｎｔ  Ｃｏｎｆｉｇｕｒａｔｉｏｎ」を受信した場合、「Ｉｄｌｅ状態」に遷移した後、かかる「Ｍｅａｓｕｒｅｍｅｎｔ  Ｃｏｎｆｉｇｕｒａｔｉｏｎ」に応じて、上述の所定無線品質を測定して記憶しておくように構成されているＭＤＴ機能部１２とを具備しており、移動局ＵＥが、ＭＤＴの実施に対する承諾が取り消された後、「Ｉｄｌｅ状態」から「Ｃｏｎｎｅｃｔｅｄ状態」に遷移する場合に、ＭＤＴ機能部１２は、ネットワークに対して、上述の所定無線品質の測定結果を記憶していることを通知した後、かかる所定無線品質の測定結果を通知しないように構成されていることを要旨とする。
【００８１】
本実施形態の第４乃至第６の特徴において、移動局ＵＥが、上述の所定無線品質の測定を中止した後に、デタッチ処理を行った場合であっても、Ｃｏｎｓｅｎｔ管理部１１は、ＭＤＴの実施に対する承諾がなされていないことを記憶しておくように構成されていてもよい。
【００８２】
本実施形態の第４乃至第６の特徴において、移動局ＵＥが、デタッチ処理を行った後に、アタッチ処理を行う際に、ＭＤＴ機能部１２は、ネットワークに対して、ＭＤに関連する能力（ＡＳ  ＵＥ  Ｃａｐａｂｉｌｉｔｙ）を具備している旨を通知しないように構成されていてもよい。
【００８３】
なお、上述の移動局ＵＥや無線基地局ｅＮＢや移動管理ノードＭＭＥや加入者情報管理サーバＨＳＳの動作は、ハードウェアによって実施されてもよいし、プロセッサによって実行されるソフトウェアモジュールによって実施されてもよいし、両者の組み合わせによって実施されてもよい。
【００８４】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００８５】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢや移動管理ノードＭＭＥや加入者情報管理サーバＨＳＳ内に設けられていてもよい。また、かかる記憶媒体及びプロセッサは、ディスクリートコンポーネントとして移動局ＵＥや無線基地局ｅＮＢや移動管理ノードＭＭＥや加入者情報管理サーバＨＳＳ内に設けられていてもよい。
【００８６】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００８７】
ＵＥ…移動局
ｅＮＢ…無線基地局
ＭＭＥ…移動管理ノード
ＨＳＳ…加入者情報管理サーバ
１１…Ｃｏｎｓｅｎｔ管理部
１２…ＭＤＴ機能部
【図１】
2012222665.tif 000003
【図２】
2012222665.tif 000004
【図３】
2012222665.tif 000005
【図４】
2012222665.tif 000006
【図５】
2012222665.tif 000007
【図６】
2012222665.tif 000008